(57)【特許請求の範囲】
【請求項１】
サーバと複数の情報処理端末とがネットワークを通じて接続され、情報処理端末よりサーバに格納されている情報データベースを検索する情報処理システムであって、
前記サーバは、前記情報処理端末にて設定された地域と属性とを関連付けて登録する手段と、前記属性と検索対象となる情報を関連付けて登録する手段と、前記情報処理端末の位置情報を検出し、該位置情報と地域情報とから必要とする属性を判断する手段と、必要と判断された前記属性に基づき前記情報を検索する手段と、を備え、
前記サーバは、前記情報処理端末から検索要求が送信されると、前記情報データベースに記憶されている全ての情報のなかから、前記必要と判断された属性に関連付けられた情報を検索して前記情報処理端末に送信すること、
を特徴とする情報処理システム。
【請求項２】
前記サーバは条件に基づいて前記属性を決定すること、を特徴とする請求項１に記載の情報処理システム。
【請求項３】
前記サーバは前記属性に感度を持つこと、を特徴とする請求項１に記載の情報処理システム。
【請求項４】
前記サーバは地域に複数の属性を付与すること、を特徴とする請求項１に記載の情報処理システム。
【請求項５】
サーバと複数の情報処理端末とがネットワークを通じて接続され、情報処理端末よりサーバに格納されている情報データベースを検索する情報処理システムで用いられるサーバであって、
前記情報処理端末にて設定された地域と属性とを関連付けて登録する手段と、前記情報処理端末の位置情報を検出し、該位置情報と地域情報とから必要とする属性を判断する手段と、必要と判断された前記属性に基づき前記情報を検索する手段と、を備え、
前記情報処理端末から検索要求が送信されると、前記情報データベースに記憶されている全ての情報のなかから、前記必要と判断された属性に関連付けられた情報を検索して前記情報処理端末に送信すること、
を特徴とするサーバ。
【発明の詳細な説明】
【技術分野】
【０００１】
本発明は、情報処理システム、特に、サーバと複数の情報処理端末とがネットワークを通じて接続され、情報処理端末よりサーバに格納されている情報データベースを検索する情報処理システム及びそれに用いられるサーバに関する。
【背景技術】
【０００２】
近年、電子データ化された膨大な情報をサーバに格納し、複数の情報処理端末（ユーザのパソコンや携帯端末など）からの検索要求に応える情報処理システムが開発されている。特に、情報処理端末の位置情報と必要とされる情報の属性とが関連付けて予め登録され、サーバは利用者（情報処理端末）の位置情報を検出し、格納されている情報データベースから利用者の位置情報に基づいて近い地域に関連する情報を順次検索、返信するシステムが提案されている。あるいは、検索位置情報から一定の地域範囲に含まれる情報を検索、返信するシステムが提案されている。
【０００３】
具体的には、特許文献１には、所定エリアを担当するウェブサーバを備えたシステムであり、ウェブサーバは担当エリア内の情報が記述されたウェブページに関する情報をエリア内の特定の位置情報と関連付けて登録しておくウェブページデータベースと、ユーザの属性情報を特定の位置情報と関連付けて登録しておくユーザデータベースと、ユーザのパソコンから入力された検索条件に従ってウェブページデータベース内を検索し、該当するウェブページを抽出するウェブページ検索手段と、抽出された各ウェブページの位置情報とユーザの位置情報とを比較して、各ウェブページ情報をユーザに近い順に整列させる検索結果整列手段と、これをウェブページの位置情報とともにユーザのパソコンに送信する検索結果送信手段と、を備えたウェブ情報提供システムが記載されている。
【０００４】
特許文献２には、端末から、登録位置情報と関心事情報とを含む位置情報ブックマーク情報を取得する情報取得手段と、情報取得手段が取得した位置情報ブックマーク情報を端末に発信する情報発信手段と、を備えた情報送受信システムが記載されている。情報発信手段は端末から検索位置情報を受け付け、検索位置情報に特定される位置と一定の距離の範囲内にある位置に対応する位置情報ブックマーク情報を抽出する情報検索手段を含み、情報検索手段によって抽出された位置情報ブックマーク情報に含まれる関心事情報に関する情報を端末に送信する。
【０００５】
しかしながら、前記いずれのシステムにおいても、連続した地域の検索が前提となっており、不連続な地域であっても同一条件で検索したい要求、例えば、複数の地域に拠点を持つ企業で、いずれの拠点にあっても同じ条件で検索したいという要求を満たすことはできない。
【先行技術文献】
【特許文献】
【０００６】
【特許文献１】特開２００２−１５２２２号公報
【特許文献２】特開２００８−２４２５２６号公報
【発明の概要】
【発明が解決しようとする課題】
【０００７】
そこで、本発明の目的は、不連続な地域であってもそれらの地域から同じ条件で情報を検索できる情報処理システム及びそれに用いられるサーバを提供することにある。
【課題を解決するための手段】
【０００８】
以上の目的を達成するため、本発明の第１の形態である情報処理システムは、
サーバと複数の情報処理端末とがネットワークを通じて接続され、情報処理端末よりサーバに格納されている情報データベースを検索する情報処理システムであって、
前記サーバは、前記情報処理端末にて設定された地域と属性とを関連付けて登録する手段と、前記属性と検索対象となる情報を関連付けて登録する手段と、前記情報処理端末の位置情報を検出し、該位置情報と地域情報とから必要とする属性を判断する手段と、必要と判断された前記属性に基づき前記情報を検索する手段と、を備え、
前記サーバは、前記情報処理端末から検索要求が送信されると、前記情報データベースに記憶されている全ての情報のなかから、前記必要と判断された属性に関連付けられた情報を検索して前記情報処理端末に送信すること、
を特徴とする。
本発明の第２の形態であるサーバは、
サーバと複数の情報処理端末とがネットワークを通じて接続され、情報処理端末よりサーバに格納されている情報データベースを検索する情報処理システムで用いられるサーバであって、
前記情報処理端末にて設定された地域と属性とを関連付けて登録する手段と、前記情報処理端末の位置情報を検出し、該位置情報と地域情報とから必要とする属性を判断する手段と、必要と判断された前記属性に基づき前記情報を検索する手段と、を備え、
前記情報処理端末から検索要求が送信されると、前記情報データベースに記憶されている全ての情報のなかから、前記必要と判断された属性に関連付けられた情報を検索して前記情報処理端末に送信すること、
を特徴とする。
【０００９】
前記情報処理システムにおいては、地域と属性とを関連付けてサーバに登録しておくため、不連続な地域であっても仮想的に連続した地域として取り扱うことになり、仮想的に連続した地域からは同じ条件で情報を検索することができる。例えば、属性“仕事”を大阪市と伊丹市とで登録した場合には、大阪市にある情報処理端末からサーバにアクセスした場合、大阪市と伊丹市に関して属性“仕事”の情報を検索し、サーバはこれらの属性“仕事”の情報を情報処理端末に送信する。
【発明の効果】
【００１０】
本発明によれば、不連続な地域であってもそれらの地域から同じ条件で情報を検索できる。
【図面の簡単な説明】
【００１１】
【図１】実施例１〜６である情報処理システムの構成図である。
【図２】実施例１，５，６で使用されるサーバ及び情報処理端末を示すブロック図である。
【図３】実施例１〜５における地域情報を示す模式図である。
【図４】実施例１〜４，６における情報処理端末による地域情報登録手順を示すフローチャート図である。
【図５】実施例１〜６におけるサーバでの地域情報登録手順を示すフローチャート図である。
【図６】実施例１，３，６における情報処理端末による情報登録手順を示すフローチャート図である。
【図７】実施例１，３，６におけるサーバでの情報登録手順を示すフローチャート図である。
【図８】実施例１，２，６における情報処理端末による情報検索手順を示すフローチャート図である。
【図９】実施例１，２，６におけるサーバでの情報検索手順を示すフローチャート図である。
【図１０】実施例２，３で使用されるサーバ及び情報処理端末を示すブロック図である。
【図１１】実施例２における情報処理端末による情報登録手順を示すフローチャート図である。
【図１２】実施例２におけるサーバでの情報登録手順を示すフローチャート図である。
【図１３】実施例３における情報処理端末による情報検索手順を示すフローチャート図である。
【図１４】実施例３におけるサーバでの情報検索手順を示すフローチャート図である。
【図１５】実施例４で使用されるサーバ及び情報処理端末を示すブロック図である。
【図１６】実施例４における情報処理端末による属性条件登録手順を示すフローチャート図である。
【図１７】実施例４におけるサーバでの属性条件情報登録手順を示すフローチャート図である。
【図１８】実施例４における情報処理端末による情報登録手順を示すフローチャート図である。
【図１９】実施例４におけるサーバでの情報登録手順を示すフローチャート図である。
【図２０】実施例４における情報処理端末による情報検索手順を示すフローチャート図である。
【図２１】実施例４におけるサーバでの情報検索手順を示すフローチャート図である。
【図２２】実施例５における情報処理端末による地域情報登録手順を示すフローチャート図である。
【図２３】実施例５における情報処理端末による情報登録手順を示すフローチャート図である。
【図２４】実施例５におけるサーバでの情報登録手順を示すフローチャート図である。
【図２５】実施例５における情報処理端末による情報検索手順を示すフローチャート図である。
【図２６】実施例５におけるサーバでの情報検索手順を示すフローチャート図である。
【図２７】実施例６における地域情報を示す模式図である。
【発明を実施するための形態】
【００１２】
以下、本発明に係る情報処理システム及びサーバの実施例について、添付図面を参照して説明する。
【００１３】
（実施例１、図１〜図９参照）
実施例１である情報処理システムは、図１に示すように、基地局として機能するサーバ１と、パソコンや携帯端末などの複数の情報処理端末５０（５０−１〜５０−ｎ）とがネットワーク３０などの通信手段によって接続されている。サーバ１には情報データベースが格納されており、それぞれの情報処理端末５０によって情報データベースを検索可能である。
【００１４】
サーバ１は、図２に示すように、ＣＰＵ２を中心として、地域情報を格納する地域情報データベース３、地域情報を登録する地域情報登録部４、地域情報を検索する地域情報検索部５、情報を登録する登録情報データベース６、情報を登録する情報登録部７、登録情報を検索する登録情報検索部８、ネットワークインターフェース部１１、地域情報や登録情報を記憶するＲＡＭ９やＨＤＤ１０にて構成されている。ネットワークインターフェース部１１は、情報処理端末５０からの登録要求、検索要求を受信し、情報処理端末５０へ登録結果、検索結果を送信する。
【００１５】
情報処理端末５０は、図２に示すように、ＣＰＵ５２を中心として、地域情報や登録情報を入力する入力部５３、入力した地域情報や登録情報及びサーバ１からの結果を表示する表示部５４、サーバ１へ情報登録要求を行う情報登録要求部５５、サーバ１へ検索要求を行う検索要求部５６、ネットワークインターフェース部６１、検索結果などを記憶するＲＡＭ５９やＨＤＤ６０にて構成されている。ネットワークインターフェース部６１は、サーバ１へ登録要求、検索要求を送信し、サーバ１からの登録結果、検索結果を受信する。
【００１６】
情報処理端末５０による地域情報の登録は図４に示す手順によって行われる。まず、ユーザは自己の情報処理端末５０から、地域と属性を入力し（ステップＳ１）、サーバ１へ地域情報（地域と属性）登録要求を送信する（ステップＳ２）。地域とは表１に示すように、例えば、Ａ〜Ｆがあり、Ａは大阪市、Ｂは伊丹市などそれぞれの行政区画に対応している。属性とは“仕事”、“趣味”などである。例えば、表２に示すように、ユーザＧに関しては、地域Ａ、Ｆに“仕事”の属性を関連付け、地域Ｂ〜Ｅに“趣味”の属性を関連付けて登録要求する。地域Ａ〜Ｆは模式的には図３に示すとおりである。地域Ａ〜Ｆはそれぞれ独立した不連続な地域であるが、属性によって関連付けられて仮想的に連続した地域として取り扱うことが可能になる。その後、情報処理端末５０は、前記登録結果の受信を待ち（ステップＳ３）、受信すると（ステップＳ４でＹＥＳ）、地域情報登録結果を表示部５４に表示する（ステップＳ５）。
【００１７】
【表１】
0005581807.tif 000002
【００１８】
【表２】
0005581807.tif 000003
【００１９】
サーバ１による地域情報登録は図５に示す手順によって行われる。まず、サーバ１は、情報処理端末５０からの登録要求を待ち（ステップＳ１１）、登録要求があれば（ステップＳ１２でＹＥＳ）、地域情報登録要求に含まれている地域情報（表２参照）を地域情報データベース３に登録する（ステップＳ１３）。その後、サーバ１は、登録結果を要求元である情報処理端末５０に送信する（ステップＳ１４）。
【００２０】
情報処理端末５０による情報登録は図６に示す手順によって行われる。まず、ユーザは自己の情報処理端末５０から属性と登録情報を入力し（ステップＳ２１）、サーバ１へ情報（属性と登録情報）登録要求を送信する（ステップＳ２２）。ここで送信される情報とは、表３に示すように、情報Ｈ（例えば、予約したい会議室）で、その属性は“仕事”であり、情報を属性と関連付けて登録要求する。その後、情報処理端末５０は、前記情報登録結果の受信を待ち（ステップＳ２３）、受信すると（ステップＳ２４でＹＥＳ）、情報登録結果を表示部５４に表示する（ステップＳ２５）。
【００２１】
【表３】
0005581807.tif 000004
【００２２】
サーバ１による情報登録は図７に示す手順によって行われる。まず、サーバ１は、情報処理端末５０からの属性を含む情報登録要求を待ち（ステップＳ３１）、登録要求があれば（ステップＳ３２でＹＥＳ）、属性と情報を登録情報データベース６に登録する（ステップＳ３３）。その後、サーバ１は、情報登録結果を要求元である情報処理端末５０に送信する（ステップＳ３４）。
【００２３】
情報処理端末５０による情報検索は図８に示す手順によって行われる。まず、ユーザは自己の情報処理端末５０から検索属性を入力し（ステップＳ４１）、サーバ１へ属性を含む検索要求を送信する（ステップＳ４２）。その後、情報処理端末５０は、検索結果の受信を待ち（ステップＳ４３）、受信すると（ステップＳ４４でＹＥＳ）、検索結果を表示部５４に表示する（ステップＳ４５）。
【００２４】
サーバ１による情報検索は図９に示す手順によって行われる。まず、サーバ１は、情報処理端末５０からの属性を含む検索要求を待ち（ステップＳ５１）、検索要求があれば（ステップＳ５２でＹＥＳ）、属性をキーに登録情報データベース６を検索する（ステップＳ５３）。その後、サーバ１は、属性と同じ登録情報を要求元である情報処理端末５０に送信する（ステップＳ５４）。
【００２５】
（実施例２、図１、図３〜図５、図８〜図１２参照）
実施例２である情報処理システムは、図１に示したものと同様である。
【００２６】
サーバ１は、図１０に示すように、ＣＰＵ２を中心として、地域情報を格納する地域情報データベース３、地域情報を登録する地域情報登録部４、地域情報を検索する地域情報検索部５、情報を登録する登録情報データベース６、情報を登録する情報登録部７、登録情報を検索する登録情報検索部８、地域属性判断部１７、ネットワークインターフェース部１１、地域情報や登録情報を記憶するＲＡＭ９やＨＤＤ１０にて構成されている。地域属性判断部１７は、登録情報要求に含まれる位置情報と、地域情報データベース３に格納されている地域情報から位置情報が、どの地域に含まれるかを判断する。ネットワークインターフェース部１１は、情報処理端末５０からの登録要求、検索要求を受信し、情報処理端末５０へ登録結果、検索結果を送信する。
【００２７】
情報処理端末５０は、図１０に示すように、ＣＰＵ５２を中心として、地域情報や登録情報を入力する入力部５３、入力した地域情報や登録情報及びサーバ１からの結果を表示する表示部５４、サーバ１へ情報登録要求を行う情報登録要求部５５、サーバ１へ検索要求を行う検索要求部５６、位置情報を検出する位置情報検出部５８、ネットワークインターフェース部６１、検索結果などを記憶するＲＡＭ５９やＨＤＤ６０にて構成されている。ネットワークインターフェース部６１は、サーバ１へ登録要求、検索要求を送信し、サーバ１からの登録結果、検索結果を受信する。
【００２８】
情報処理端末５０による地域情報の登録は図４に示した手順によって行われる。これに対するサーバ１による地域情報登録は図５に示した手順によって行われる。
【００２９】
情報処理端末５０による情報登録は図１１に示す手順によって行われる。まず、ユーザは自己の情報処理端末５０から登録情報を入力する（ステップＳ６１）。また、情報処理端末５０は自己の現在位置を検出し、この位置情報を含む情報登録要求をサーバ１へ送信する（ステップＳ６２）。ここで送信される情報登録要求には、表４に示すように、情報Ｉと位置情報であるｘ，ｙ，ｚを含む。なお、位置情報は、検出部５８で検出された情報以外に、ユーザがそのときに入力してもよい。その後、情報処理端末５０は、前記情報登録結果の受信を待ち（ステップＳ６３）、受信すると（ステップＳ６４でＹＥＳ）、情報登録結果を表示部５４に表示する（ステップＳ６５）。
【００３０】
【表４】
0005581807.tif 000005
【００３１】
サーバ１による情報登録は図１２に示す手順によって行われる。まず、サーバ１は、情報処理端末５０からの情報登録要求を待ち（ステップＳ７１）、登録要求があり（ステップＳ７２でＹＥＳ）、かつ、位置情報があれば（ステップＳ７３でＹＥＳ）、位置情報をキーに地域情報データベース３を検索する（ステップＳ７４）。そして、位置情報を含有する地域情報の属性を抽出し（ステップＳ７５）、地域情報から抽出した属性と登録情報とを関連付け（ステップＳ７６）、属性と登録情報を登録情報データベース６に登録する（ステップＳ７７）。その後、サーバ１は、情報登録結果を要求元である情報処理端末５０に送信する（ステップＳ７８）。なお、位置情報がなければ（ステップＳ７３でＮＯ）、前記ステップＳ７７へ移行する。
【００３２】
情報処理端末５０による情報検索は図８に示した手順によって行われる。これに対する、サーバ１による情報検索は図９に示した手順によって行われる。
【００３３】
（実施例３、図１、図３〜図７、図１０、図１３及び図１４参照）
実施例３である情報処理システムは、図１に示したものと同様である。また、サーバ１及び情報処理端末５０の構成は図１０に示したものと同様である。
【００３４】
情報処理端末５０による地域情報の登録は図４に示した手順によって行われる。これに対するサーバ１による地域情報登録は図５に示した手順によって行われる。情報処理端末５０による情報登録は図６に示した手順によって行われる。これに対するサーバ１による情報登録は図７に示した手順によって行われる。
【００３５】
情報処理端末５０による情報検索は図１３に示す手順によって行われる。まず、ユーザは自己の情報処理端末５０から検索属性を入力する（ステップＳ８１）。また、情報処理端末５０は自己の現在位置を検出し、この位置情報を含む検索要求をサーバ１へ送信する（ステップＳ８２）。なお、位置情報は、検出部５８で検出された情報以外に、ユーザがそのときに入力してもよい。その後、情報処理端末５０は、検索結果の受信を待ち（ステップＳ８３）、受信すると（ステップＳ８４でＹＥＳ）、検索結果を表示部５４に表示する（ステップＳ８５）。
【００３６】
サーバ１による情報検索は図１４に示す手順によって行われる。まず、サーバ１は、情報処理端末５０からの検索要求を待ち（ステップＳ９１）、検索要求があり（ステップＳ９２でＹＥＳ）、かつ、位置情報があれば（ステップＳ９３でＹＥＳ）、位置情報をキーに地域情報データベース３を検索する（ステップＳ９４）。そして、位置情報を含む地域情報の属性を抽出し（ステップＳ９５）、地域情報から抽出した属性をキーに登録情報データベース６を検索する（ステップＳ９６）。その後、サーバ１は、属性と同じ登録情報を要求元である情報処理端末５０に送信する（ステップＳ９７）。なお、位置情報がなければ（ステップＳ９３でＮＯ）、前記ステップＳ９６へ移行する。
【００３７】
（実施例４、図１、図４、図５、図１５〜図２１参照）
実施例４である情報処理システムは、図１に示したものと同様である。
【００３８】
サーバ１は、図１５に示すように、ＣＰＵ２を中心として、地域情報を格納する地域情報データベース３、地域情報を登録する地域情報登録部４、地域情報を検索する地域情報検索部５、情報を登録する登録情報データベース６、情報を登録する情報登録部７、登録情報を検索する登録情報検索部８、属性条件を登録する属性条件データベース１９、属性条件登録部２０、属性条件を検索する属性条件検索部２１、ネットワークインターフェース部１１、地域情報や登録情報を記憶するＲＡＭ９やＨＤＤ１０にて構成されている。ネットワークインターフェース部１１は、情報処理端末５０からの登録要求、検索要求を受信し、情報処理端末５０へ登録結果、検索結果を送信する。
【００３９】
情報処理端末５０は、図１５に示すように、ＣＰＵ５２を中心として、地域情報や登録情報を入力する入力部５３、入力した地域情報や登録情報及びサーバ１からの結果を表示する表示部５４、サーバ１へ情報登録要求を行う情報登録要求部５５、サーバ１へ検索要求を行う検索要求部５６、ネットワークインターフェース部６１、検索結果などを記憶するＲＡＭ５９やＨＤＤ６０にて構成されている。ネットワークインターフェース部６１は、サーバ１へ登録要求、検索要求を送信し、サーバ１からの登録結果、検索結果を受信する。
【００４０】
情報処理端末５０による地域情報の登録は図４に示した手順によって行われる。これに対するサーバ１による地域情報登録は図５に示した手順によって行われる。
【００４１】
情報処理端末５０による属性条件登録は図１６に示す手順によって行われる。まず、ユーザは自己の情報処理端末５０から条件と属性を入力し（ステップＳ１０１）、その属性条件情報の登録要求をサーバ１へ送信する（ステップＳ１０２）。ここで送信される属性条件情報とは、表５に示すように、曜日（条件）と“仕事”や“趣味”などの属性が関連付けられたものである。例えば、表６に示すように、ユーザＪに関しては、月曜日から金曜日は“仕事”の属性を関連付け、土曜日及び日曜日には“趣味”の属性を関連付けて登録要求する。その後、情報処理端末５０は、前記属性条件登録結果の受信を待ち（ステップＳ１０３）、受信すると（ステップＳ１０４でＹＥＳ）、属性条件登録結果を表示部５４に表示する（ステップＳ１０５）。
【００４２】
【表５】
0005581807.tif 000006
【００４３】
【表６】
0005581807.tif 000007
【００４４】
サーバ１による属性条件情報登録は図１７に示す手順によって行われる。まず、サーバ１は、情報処理端末５０からの属性条件情報登録要求を待ち（ステップＳ１１１）、属性条件情報登録要求があれば（ステップＳ１１２でＹＥＳ）、属性条件情報登録要求に含まれる属性と条件を属性条件データベース１９に登録する（ステップＳ１１３）。その後、サーバ１は、属性条件情報登録結果を要求元である情報処理端末５０に送信する（ステップＳ１１４）。
【００４５】
情報処理端末５０による情報登録は図１８に示す手順によって行われる。まず、ユーザは自己の情報処理端末５０から登録情報を入力し（ステップＳ１２１）、サーバ１へ情報（属性と条件）登録要求を送信する（ステップＳ１２２）。その後、情報処理端末５０は、前記情報登録結果の受信を待ち（ステップＳ１２３）、受信すると（ステップＳ１２４でＹＥＳ）、情報登録結果を表示部５４に表示する（ステップＳ１２５）。
【００４６】
サーバ１による情報登録は図１９に示す手順によって行われる。まず、サーバ１は、情報処理端末５０からの情報登録要求を待ち（ステップＳ１３１）、情報登録要求があれば（ステップＳ１３２でＹＥＳ）、属性条件データベース１９から属性を抽出し（ステップＳ１３３）、抽出した属性と登録情報を関連付け（ステップＳ１３４）、属性と情報を登録情報データベース６に登録する（ステップＳ１３５）。その後、サーバ１は、情報登録結果を要求元である情報処理端末５０に送信する（ステップＳ１３６）。
【００４７】
情報処理端末５０による情報検索は図２０に示す手順によって行われる。まず、ユーザは自己の情報処理端末５０から属性を入力し（ステップＳ１４１）、検索要求をサーバ１へ送信する（ステップＳ１４２）。その後、情報処理端末５０は、検索結果の受信を待ち（ステップＳ１４３）、受信すると（ステップＳ１４４でＹＥＳ）、検索結果を表示部５４に表示する（ステップＳ１４５）。
【００４８】
サーバ１による情報検索は図２１に示す手順によって行われる。まず、サーバ１は、情報処理端末５０からの検索要求を待ち（ステップＳ１５１）、検索要求があれば（ステップＳ１５２でＹＥＳ）、属性条件データベース１９から属性を抽出し（ステップＳ１５３）、その属性をキーに登録情報データベース６を検索する（ステップＳ１５４）。その後、サーバ１は、検索要求に含まれる属性と同じ登録情報を要求元である情報処理端末５０に送信する（ステップＳ１５５）。
【００４９】
（実施例５、図１〜図３、図５、図２２〜図２６参照）
実施例５である情報処理システムは、図１に示したものと同様である。また、サーバ１及び情報処理端末５０の構成は図２に示したものと同様である。
【００５０】
情報処理端末５０による地域情報の登録は図２２に示す手順によって行われる。まず、ユーザは自己の情報処理端末５０から、地域と属性と感度を入力し（ステップＳ１６１）、サーバ１へ地域情報（地域と属性と感度）登録要求を送信する（ステップＳ１６２）。地域と属性は前述したとおりであり、感度は表７に示すように、レベル１〜３が規定されている。例えば、表８に示すように、ユーザＧに関しては、地域Ａ、Ｆに“仕事”の属性と感度をレベル１，２を関連付け、地域Ｂ〜Ｅに“趣味”の属性と感度をレベル１〜３にそれぞれ関連付けて登録要求する。その後、情報処理端末５０は、前記登録結果の受信を待ち（ステップＳ１６３）、受信すると（ステップＳ１６４でＹＥＳ）、地域情報登録結果を表示部５４に表示する（ステップＳ１６５）。
【００５１】
【表７】
0005581807.tif 000008
【００５２】
【表８】
0005581807.tif 000009
【００５３】
前記地域情報登録要求に対するサーバ１による地域情報登録は図５に示した手順によって行われる。
【００５４】
また、情報処理端末５０による情報登録は図２３に示す手順によって行われる。まず、ユーザは自己の情報処理端末５０から属性と登録情報と感度を入力し（ステップＳ１７１）、サーバ１へ情報（属性と登録情報と感度）登録要求を送信する（ステップＳ１７２）。ここで送信される情報とは、表９に示すように、情報Ｈ（例えば、予約したい会議室）で、その属性は“仕事”であり、感度はレベル２であり、情報と属性と感度を関連付けて登録要求する。その後、情報処理端末５０は、前記情報登録結果の受信を待ち（ステップＳ１７３）、受信すると（ステップＳ１７４でＹＥＳ）、情報登録結果を表示部５４に表示する（ステップＳ１７５）。
【００５５】
【表９】
0005581807.tif 000010
【００５６】
サーバ１による情報登録は図２４に示す手順によって行われる。まず、サーバ１は、情報処理端末５０からの属性、感度を含む情報登録要求を待ち（ステップＳ１８１）、登録要求があれば（ステップＳ１８２でＹＥＳ）、属性と情報と感度を登録情報データベース６に登録する（ステップＳ１８３）。その後、サーバ１は、情報登録結果を要求元である情報処理端末５０に送信する（ステップＳ１８４）。
【００５７】
情報処理端末５０による情報検索は図２５に示す手順によって行われる。まず、ユーザは自己の情報処理端末５０から検索属性、検索感度を入力し（ステップＳ１９１）、サーバ１へ属性と感度を含む検索要求を送信する（ステップＳ１９２）。その後、情報処理端末５０は、検索結果の受信を待ち（ステップＳ１９３）、受信すると（ステップＳ１９４でＹＥＳ）、検索結果を表示部５４に表示する（ステップＳ１９５）。
【００５８】
サーバ１による情報検索は図２６に示す手順によって行われる。まず、サーバ１は、情報処理端末５０からの属性と感度を含む検索要求を待ち（ステップＳ２０１）、検索要求があれば（ステップＳ２０２でＹＥＳ）、属性と感度をキーに登録情報データベース６を検索する（ステップＳ２０３）。その後、サーバ１は、属性と感度が同じ登録情報を要求元である情報処理端末５０に送信する（ステップＳ２０４）。
【００５９】
（実施例６、図１、図２、図４〜図９、図２７参照）
実施例６である情報処理システムは、図１に示したものと同様である。また、サーバ１及び情報処理端末５０の構成は図２に示したものと同様である。
【００６０】
また、処理手順に関しても、図４に示した情報処理端末５０による地域情報登録手順、図５に示したサーバ１での地域情報登録手順、図６に示した情報処理端末５０による情報登録手順、図７に示したサーバ１での情報登録手順、図８に示した情報処理端末５０による情報検索手順、図９に示したサーバ１での情報検索手順が実行される。
【００６１】
そして、本実施例６では、地域に複数の属性を付与している。例えば、表１０に示すように、Ｊ（兵庫県）という親地域に“趣味”という属性が付与され、Ｋ（伊丹市）という地域に“仕事”という属性が付与された場合が想定される。この状態を模式的に示したのが図２７であり、Ｊという親地域にＫという子地域が包含されることになる。従って、地域Ｋには“趣味”と“仕事”の属性が付与されたことになる。
【００６２】
【表１０】
0005581807.tif 000011
【００６３】
（他の実施例）
なお、本発明に係る情報処理システム及びサーバは前記実施例に限定するものではなく、その要旨の範囲内で種々に変更することができる。
【００６４】
例えば、前記各実施例では、サーバ１を基地局として使用しているが、サーバ機能や通信機を持つ画像形成複合装置であっても同じ役割を実行することが可能である。
【産業上の利用可能性】
【００６５】
以上のように、本発明は、情報処理システム及びサーバに有用であり、特に、不連続な地域であってもそれらの地域から同じ条件で情報を検索できる点で優れている。
【符号の説明】
【００６６】
１…サーバ
２…ＣＰＵ
３…地域情報データベース
４…地域情報登録部
５…地域情報検索部
６…登録情報データベース
７…情報登録部
８…登録情報検索部
９…ＲＡＭ
１０…ＨＤＤ
１７…地域属性判断部
１９…属性条件データベース
２０…属性条件登録部
２１…属性条件検索部
３０…ネットワーク
５０（５０−１，５０−ｎ）…情報処理端末
５２…ＣＰＵ
５３…入力部
５４…表示部
５５…情報登録要求部
５６…検索要求部
５８…位置情報検出部
【図１】
0005581807.tif 000012
【図２】
0005581807.tif 000013
【図３】
0005581807.tif 000014
【図４】
0005581807.tif 000015
【図５】
0005581807.tif 000016
【図６】
0005581807.tif 000017
【図７】
0005581807.tif 000018
【図８】
0005581807.tif 000019
【図９】
0005581807.tif 000020
【図１０】
0005581807.tif 000021
【図１１】
0005581807.tif 000022
【図１２】
0005581807.tif 000023
【図１３】
0005581807.tif 000024
【図１４】
0005581807.tif 000025
【図１５】
0005581807.tif 000026
【図１６】
0005581807.tif 000027
【図１７】
0005581807.tif 000028
【図１８】
0005581807.tif 000029
【図１９】
0005581807.tif 000030
【図２０】
0005581807.tif 000031
【図２１】
0005581807.tif 000032
【図２２】
0005581807.tif 000033
【図２３】
0005581807.tif 000034
【図２４】
0005581807.tif 000035
【図２５】
0005581807.tif 000036
【図２６】
0005581807.tif 000037
【図２７】
0005581807.tif 000038